(57)【要約】【課題】  上述した事情を考慮してなされたもので、外部マイク及び内部マイクの性能を十分発揮することができる撮像装置を提供する。【解決手段】  切り替えスイッチ４は、内蔵マイク装置２と外部マイク接続シュー２を介して接続された外部マイク装置１とのいずれかからの音声信号を切り替えて出力する。Ａ／Ｄコンバータ５は、切り替えスイッチ４が出力する音声信号をアナログ／デジタル変換してデジタル音声信号を出力する。制御装置８は、外部マイク接続シュー２に接続されている外部マイク装置２から外部マイク情報を読み出し、読み出した外部マイク情報から外部マイク装置２の性能を判断して、Ａ／Ｄコンバータ５における量子化ビット数及び／又はサンプリングレートを制御する。【選択図】  図１
2006229329.tif 000002
【特許請求の範囲】
【請求項１】
性能情報、識別情報、又は双方を少なくとも含む外部マイク情報を記録した記録媒体を有する外部マイクと、
前記外部マイクを接続可能な接続手段と、
内蔵マイクと、
前記内蔵マイクと前記接続手段を介して接続された前記外部マイクとのいずれか一つからの音声信号を切り替えて出力する切り替え手段と、
前記外部マイクが前記接続手段に接続されている場合に接続されている前記外部マイクの前記記録媒体から前記外部マイク情報を読み出す読み出し手段と、
前記切り替え手段が出力する前記音声信号をアナログ／デジタル変換してデジタル音声信号を出力する変換手段と、
前記変換手段が出力するデジタル音声信号を所定のデータ形式に変換して所定形式音声データを出力するデータ形式変換手段と、
撮影した映像データを出力する撮影手段と、
前記データ形式変換手段が出力する前記所定形式音声データ及び前記撮影手段が出力する前記映像データを記録媒体に記録する記録手段と、
前記読み出し手段が読み出した前記外部マイク情報から前記外部マイクの性能を判断して、前記変換手段における量子化ビット数及び／又はサンプリングレートを制御する制御手段と
を具備することを特徴とする撮像装置。
【請求項２】
前記撮影手段における制御情報及び設定情報の少なくとも一つを含む撮影情報を前記撮影手段より取得する撮影情報取得手段を更に具備し、
前記制御手段は、前記外部マイクの性能の判断に加えて、前記撮影情報取得手段が取得した前記撮影情報を基に撮影状況を判断して、前記変換手段における量子化ビット数及び／又はサンプリングレートを制御すること
を特徴とする請求項１に記載の撮像装置。
【請求項３】
前記制御手段は、前記外部マイクの性能の判断に応じて、前記切り替え手段における切り替え処理を制御することを特徴とする請求項１又は２に記載の撮像装置。
【請求項４】
前記制御手段は、前記外部マイクの性能の判断に加えて、前記撮影情報取得手段が取得した前記撮影情報を基に撮影状況を判断して、前記切り替え手段における切り替え処理を制御することを特徴とする請求項２に記載の撮像装置。
【請求項５】
前記データ形式変換手段が、前記デジタル音声信号を圧縮データ形式に圧縮処理することで所定形式音声データを出力する場合に、前記制御手段は、前記外部マイクの性能の判断に応じて、前記データ形式変換手段における圧縮処理を制御することを特徴とする請求項１〜４のいずれか１項に記載の撮像装置。
【請求項６】
前記データ形式変換手段が、前記デジタル音声信号を圧縮データ形式に圧縮処理することで所定形式音声データを出力する場合に、前記制御手段は、前記外部マイクの性能の判断に加えて、前記撮影情報取得手段が取得した前記撮影情報を基に撮影状況を判断して、前記データ形式変換手段における圧縮処理を制御することを特徴とする請求項２又は４に記載の撮像装置。
【請求項７】
画像信号と音声信号を記録する撮像装置において、
外部マイクを接続することのできる外部マイク接続手段と、
前記外部マイク接続手段に接続される外部マイクの有するマイク情報を取得するマイク情報取得手段と、
撮影光学系の撮影情報を取得する撮影情報取得手段と、
音声信号をアナログ／デジタル変換する変換手段と、
前記情報取得手段によって取得した前記外部マイクのマイク情報および前記撮影情報取得手段によって取得した前記撮影光学系の撮影情報に基づいて、前記変換手段にて設定されている量子化ビットまたはサンプリングレートを変更する変更手段とを有することを特徴とする撮像装置。
【請求項８】
画像信号と音声信号を記録する撮像装置において、
前記撮像装置に内蔵される内蔵マイクと、
外部マイクを接続することのできる外部マイク接続手段と、
前記外部マイク接続手段に接続される外部マイクの有するマイク情報を取得するマイク情報取得手段と、
撮影光学系の撮影情報を取得する撮影情報取得手段と、
前記情報取得手段によって取得した前記外部マイクのマイク情報および前記撮影情報取得手段によって取得した前記撮影光学系の撮影情報に基づいて、前記内蔵マイクから音声信号を出力させるか前記外部マイクから音声信号を出力させるかを切り換える切換手段とを有することを特徴とする撮像装置。
【請求項９】
画像信号と音声信号を記録する撮像装置において、
外部マイクを接続することのできる外部マイク接続手段と、
前記外部マイク接続手段に接続される外部マイクの有するマイク情報を取得するマイク情報取得手段と、
撮影光学系の撮影情報を取得する撮影情報取得手段と、
音声信号を圧縮処理する圧縮処理手段と、
前記情報取得手段によって取得した前記外部マイクのマイク情報および前記撮影情報取得手段によって取得した前記撮影光学系の撮影情報に基づいて、前記圧縮処理手段にて設定されている圧縮レートを変更する変更手段とを有することを特徴とする撮像装置。
【発明の詳細な説明】
【技術分野】
【０００１】
本発明は、撮像装置に関し、より詳細には、デジタルカメラやデジタルビデオカメラ等の撮像装置における録音技術に関する。
【背景技術】
【０００２】
従来の撮像装置における録音機能の構成例を図４に示す。
図４に示すように、従来は外部マイク１０１が外部マイク接続シュー１０３に接続されていない場合には切り替えスイッチ１０４によって内蔵マイク１０２が選択され、外部マイク１０１が外部マイク接続シュー１０３に接続されている場合には切り替えスイッチ１０４によって外部マイク１０１が選択されて音声信号がＡ／Ｄコンバータ１０５へ入力される。Ａ／Ｄコンバータ１０５は、入力された音声信号を、一定の量子化ビット数とサンプリングレートでデジタルデータへと変換する。変換されたデジタルデータに対して、ＤＳＰ１０６が、一定の音声信号圧縮を行い、圧縮データを出力する。出力された圧縮データが記録装置１０７にて映像信号と共に記録媒体に記録される。
【０００３】
例えば、内蔵マイクを備えるビデオカメラに外部マイクを接続して、内蔵マイクと外部マイクとの切り換えを外部マイクに設けたスイッチで行うという技術が開示されている（例えば、特許文献１参照。）。
【０００４】
【特許文献１】特開２００４−２２２１３１号公報
【発明の開示】
【発明が解決しようとする課題】
【０００５】
しかしながら、上記従来の撮像装置では、どのような性能の外部マイク１０１が外部マイク接続シュー１０３に接続されたとしても内蔵マイク１０２使用時と全く同じ条件で録音を行うことになり、外部マイクの性能を十分発揮出来ない場合があるという問題がある。
また、指向性の顕著な外部マイクを用いた状態で、近距離撮影を行う時には内蔵マイクの方がより良い録音性能を発揮する場合があり、これに対応できないという問題がある。
【０００６】
本発明は、上述した事情を考慮してなされたもので、外部マイク及び内部マイクの性能を十分発揮することができる撮像装置を提供することを目的とする。
【課題を解決するための手段】
【０００７】
この発明は、上述した課題を解決すべくなされたもので、本発明による撮像装置においては、性能情報、識別情報、又は双方を少なくとも含む外部マイク情報を記録した記録媒体を有する外部マイクと、外部マイクを接続可能な接続手段と、内蔵マイクと、内蔵マイクと接続手段を介して接続された外部マイクとのいずれか一つからの音声信号を切り替えて出力する切り替え手段と、外部マイクが接続手段に接続されている場合に接続されている外部マイクの記録媒体から外部マイク情報を読み出す読み出し手段と、切り替え手段が出力する音声信号をアナログ／デジタル変換してデジタル音声信号を出力する変換手段と、変換手段が出力するデジタル音声信号を所定のデータ形式に変換して所定形式音声データを出力するデータ形式変換手段と、撮影した映像データを出力する撮影手段と、データ形式変換手段が出力する所定形式音声データ及び撮影手段が出力する映像データを記録媒体に記録する記録手段と、読み出し手段が読み出した外部マイク情報から外部マイクの性能を判断して、変換手段における量子化ビット数及び／又はサンプリングレートを制御する制御手段とを具備することを特徴とする。
これにより、外部マイクの性能に応じた最適な量子化ビット数及び／又はサンプリングレートでアナログ／デジタル変換を行うことができる。
【０００８】
また、本発明による撮像装置の一態様例においては、画像信号と音声信号を記録する撮像装置において、外部マイクを接続することのできる外部マイク接続手段と、外部マイク接続手段に接続される外部マイクの有するマイク情報を取得するマイク情報取得手段と、撮影光学系の撮影情報を取得する撮影情報取得手段と、音声信号をアナログ／デジタル変換する変換手段と、情報取得手段によって取得した外部マイクのマイク情報および撮影情報取得手段によって取得した撮影光学系の撮影情報に基づいて、変換手段にて設定されている量子化ビットまたはサンプリングレートを変更する変更手段とを有することを特徴とする。
【０００９】
また、本発明による撮像装置の一態様例においては、画像信号と音声信号を記録する撮像装置において、撮像装置に内蔵される内蔵マイクと、外部マイクを接続することのできる外部マイク接続手段と、外部マイク接続手段に接続される外部マイクの有するマイク情報を取得するマイク情報取得手段と、撮影光学系の撮影情報を取得する撮影情報取得手段と、情報取得手段によって取得した外部マイクのマイク情報および撮影情報取得手段によって取得した撮影光学系の撮影情報に基づいて、内蔵マイクから音声信号を出力させるか外部マイクから音声信号を出力させるかを切り換える切換手段とを有することを特徴とする。
【００１０】
また、本発明による撮像装置の一態様例においては、画像信号と音声信号を記録する撮像装置において、外部マイクを接続することのできる外部マイク接続手段と、外部マイク接続手段に接続される外部マイクの有するマイク情報を取得するマイク情報取得手段と、撮影光学系の撮影情報を取得する撮影情報取得手段と、音声信号を圧縮処理する圧縮処理手段と、情報取得手段によって取得した外部マイクのマイク情報および撮影情報取得手段によって取得した撮影光学系の撮影情報に基づいて、圧縮処理手段にて設定されている圧縮レートを変更する変更手段とを有することを特徴とする。
【発明の効果】
【００１１】
本発明による撮像装置は、外部マイク及び内部マイクの性能を十分発揮することができる。
【発明を実施するための最良の形態】
【００１２】
以下に、図面を参照して、本発明の好適な実施の形態について説明する。
［第１の実施形態］
まず、本発明の第１の実施形態における撮像装置の概略構成について説明する。図１は、本発明の第１の実施形態における撮像装置の概略構成を示す図である。尚、本発明の特徴となる部分は、撮像装置の録音機能に関する部分であるので、図１では、撮像装置の録音機能に関する部分の概略構成を主に示している。
【００１３】
図１において、１０は、撮像装置であり、後述する内蔵マイク装置２と外部マイク装置１を切り替えて音声を録音する機能を有する。１は、外部マイク装置であり、音声を音声信号に変換して出力するマイク機能に加えて、自身の性能情報（以下、外部マイク情報とする）を保存する記録媒体を有する。また、外部マイク装置１は、後述する外部マイク接続シュー３に接続可能な構成であり、外部マイク接続シュー３を介して撮像装置１０へ音声信号を供給する。
【００１４】
また、上述した外部マイク装置１自身の性能情報とは、例えば外部マイク装置１の指向特性や雑音特性などの集音性能に関する情報である。尚、外部マイク装置１が撮像装置１０へ供給する外部マイク情報は、上述した外部マイク装置１自身の性能情報に限定されるものではなく、外部マイク装置１自身の識別情報や製造元情報などを代わりに用いたり、合わせて用いたりしてもよい。尚、外部マイク装置１自身の識別情報を用いる場合には、後述する制御装置８の内部に、その識別情報を基に外部マイク装置１の性能に関する情報を特定できる情報テーブルが用意されているとする。
【００１５】
内蔵マイク装置２は、撮像装置１０に最初から装備されている内蔵マイクである。外部マイク接続シュー３は、撮像装置１０において外部マイクを利用できるようにするためのものである。例えば、外部マイク装置１が接続されている場合には、外部マイク接続シュー３は、外部マイク装置１からの音声信号を切り替えスイッチ４へ出力する。また、後述する制御装置８からの要求に応じて外部マイク装置１からの外部マイク情報を出力する。
【００１６】
切り替えスイッチ４は、外部マイク装置１または内部マイク装置２からの音声信号を切り替えて後述するＡ／Ｄコンバータ５へ出力する。具体的には、外部マイク装置１が外部マイク接続シュー３に接続されている場合には、外部マイク装置１からの音声信号をＡ／Ｄコンバータ５へ出力するよう選択する。また、切り替えスイッチ４は、外部マイク装置１が外部マイク接続シュー３に接続されていない場合には内部マイク装置２からの音声信号をＡ／Ｄコンバータ５へ出力するよう選択する。
【００１７】
Ａ／Ｄコンバータ５は、切り替えスイッチ４から入力される音声信号を、後述する制御装置８による制御に応じた量子化ビット数及びサンプリングレートによりアナログ／デジタル変換処理を行い、デジタルデータ（デジタル音声信号）を出力する。
【００１８】
ＤＳＰ（Ｄｉｇｉｔａｌ  Ｓｉｇｎａｌ  Ｐｒｏｃｅｓｓｏｒ）６は、Ａ／Ｄコンバータ５によって出力されたデジタルデータに対して音声用圧縮処理を行い、圧縮データを出力する。記録装置７は、ＤＳＰ６によって出力された圧縮データを記録媒体へ記録する処理を行う。
【００１９】
制御装置８は、外部マイク接続シュー３に外部マイク装置１が接続された場合に、外部マイク接続シュー３を介して外部マイク装置１の記録媒体から外部マイク情報を取得する機能と、後述する撮影装置９から撮影光学系の撮影情報を取得する機能とを備える。更に、制御装置８は、取得した外部マイク情報と撮影情報とを基に、Ａ／Ｄコンバータ５の量子化ビット数またはサンプリングレートを制御する。これにより、外部マイク装置１の出力を撮影状況に応じた最適な量子化ビット数及びサンプリングレートにてＡ／Ｄ変換することができる。
【００２０】
撮影装置９は、レンズや絞りなどの光学系、ＣＣＤなどの撮像素子、及び撮像素子の出力信号を基に映像信号を生成する映像信号処理装置などから構成され、記録装置７へデジタル映像信号を出力する。これにより、記録装置７は、ＤＳＰ６が出力する（音声の）圧縮データと合わせて撮影装置９が出力するデジタル映像信号も記録媒体に記録する。また、撮影装置９は、レンズの焦点距離情報、合焦距離情報、被写界深度情報などの情報を撮影光学系の撮影情報を制御装置８に対して出力する。複数の撮影シーンモードがあらかじめ設定され、そのなかから１つの撮影シーンモードを選択する撮像装置の場合には、選択された撮影シーンモードを撮影情報として制御装置８に対して出力する。
【００２１】
上記撮影情報の具体例を示して、Ａ／Ｄコンバータ５のサンプリングレートや量子化ビット数の制御例について以下に説明する。
例えば、撮影情報の対象物とのフォーカス位置から距離情報を取得し、近距離の被写体の撮影であると判断した場合であって、接続されている外部マイク装置１が指向性の高い遠距離用マイクであった場合は内部マイク装置２を選択し、内部マイク装置２の性能に応じたＡ／Ｄコンバータ５のサンプリングレートや量子化ビット数となるよう制御する。逆に遠距離の被写体の撮影であると判断した場合には、外部マイク装置１を選択し、Ａ／Ｄコンバータ５のサンプリングレートや量子化ビット数を外部マイク装置１に最適な値に制御する。
【００２２】
上記例のように、撮影情報から被写体の存在する範囲がわかり、マイク情報から外部マイク装置１の集音特性がわかるので、集音特性の良い範囲に被写体が存在するのであれば、Ａ／Ｄコンバータ５の量子化ビット数を高くしたり、サンプリングレートを高くし、集音特性の良い範囲に被写体が存在しないのであれば、Ａ／Ｄコンバータ５の量子化ビット数を低くしたり、サンプリングレートを低くする。
【００２３】
以上の構成により、第１の実施形態における撮像装置１０は、外部マイク装置１が外部マイク接続シュー３に接続された場合には、外部マイク装置１の性能及び、撮影状況に応じてＡ／Ｄコンバータ５を制御することで、外部マイク装置１からの音声信号を適切な量子化ビット数及びサンプリングレートでデジタル信号化することができる。
【００２４】
［第２の実施形態］
次に、本発明の第２の実施形態における撮像装置の概略構成について説明する。図２は、本発明の第２の実施形態における撮像装置の概略構成を示す図である。尚、図２において、符号２１〜２３、２５〜２７、及び２９は、図１の１〜３、５〜７、及び９と同様の構成であるので、説明を省略する。
【００２５】
図２において、２０は、撮像装置である。切り替えスイッチ２４は、制御装置２８からの制御に応じて外部マイク装置２１または内部マイク装置２２からの音声信号を切り替えて後述するＡ／Ｄコンバータ２５へ出力する。制御装置２８は、外部マイク装置２１から取得した外部マイク情報と撮影装置２９から取得した撮影情報とを基に、Ａ／Ｄコンバータ２５の量子化ビット数及びサンプリングレートを制御すると共に、切り替えスイッチ２４を制御する。
【００２６】
以上に示した構成により、第２の実施形態における撮像装置２０は、外部マイク装置２１が外部マイク接続シュー２３に接続された場合には、外部マイク装置２１の性能及び、撮影状況に応じてＡ／Ｄコンバータ２５を制御することで、外部マイク装置２１からの音声信号を適切な量子化ビット数及びサンプリングレートでデジタル信号化することができるとともに、外部マイク装置２１の性能及び、撮影状況に応じて外部マイク装置２１又は内部マイク装置２２からの音声信号を適切に切り替えることができる。
【００２７】
例えば、制御装置２８において、外部マイク装置２１からの外部マイク情報より外部マイク装置２１の性能が指向性の強いものであると判断し、かつ、撮影情報として、撮影装置２９におけるレンズの焦点制御情報を得て、その焦点制御情報から近距離撮影であると判断した場合には、制御装置２８は、切り替えスイッチ２４を内蔵マイク装置２４に切り替えるよう制御する。これにより、指向性の顕著な外部マイクを用いた状態で、近距離撮影を行う時には内蔵マイクの方がより良い録音性能を発揮する場合に対応することができる。すなわち、撮像装置２０は、外部マイク装置２１及び内部マイク装置２２の性能を十分発揮することができる。
【００２８】
［第３の実施形態］
次に、本発明の第３の実施形態における撮像装置の概略構成について説明する。図３は、本発明の第３の実施形態における撮像装置の概略構成を示す図である。尚、図３において、符号３１〜３５、３７、及び３９は、図２の２１〜２５、２７、及び２９と同様の構成であるので、説明を省略する。
【００２９】
図３において、３０は、撮像装置である。ＤＳＰ３６は、Ａ／Ｄコンバータ３５によって出力されたデジタルデータに対して音声用圧縮処理を行い、圧縮データを出力する。この際、ＤＳＰ３６は、制御装置３８からの制御に応じて最適な圧縮レートで可変的に音声用圧縮処理を行う。制御装置３８は、図２の制御装置２８と同様に外部マイク装置３１から取得した外部マイク情報と撮影装置３９から取得した撮影情報とを基に、Ａ／Ｄコンバータ３５の量子化ビット数及びサンプリングレートを制御すると共に、切り替えスイッチ２４を制御する機能を有する。また、更に、制御装置３８は、外部マイク装置３１から取得した外部マイク情報と撮影装置３９から取得した撮影情報とを基に、ＤＳＰ３６における音声用圧縮処理の圧縮レートを制御する。
【００３０】
以上に示した構成により、第３の実施形態における撮像装置３０は、上述した第２の実施形態における撮像装置２０における効果と同様の効果を得ることに加えて、外部マイク装置３１の性能及び、撮影状況に応じてＤＳＰ３６の圧縮レートを制御することで、音声信号を適切な圧縮レートで圧縮することができる。
【００３１】
尚、上述した第１の実施形態〜第３の実施形態における撮像装置１０、２０、及び３０においては、外部マイク情報を基に判断する外部マイク装置の性能、及び撮影情報を基に判断する撮影状況に応じて各種の制御（切り替えスイッチ、Ａ／Ｄコンバータ、ＤＳＰなどの制御）を行ったが、外部マイク装置の性能情報及び撮影光学系の撮影情報のいずれか一つを用いて各種の制御をおこなってもよい。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３２】
【図１】本発明の第１の実施形態における撮像装置の概略構成を示す図である。
【図２】本発明の第２の実施形態における撮像装置の概略構成を示す図である。
【図３】本発明の第３の実施形態における撮像装置の概略構成を示す図である。
【図４】従来の撮像装置の録音機能の概略構成を示す図である。
【符号の説明】
【００３３】
１、２１、３１    外部マイク装置
２、２２、３２    内蔵マイク装置
３、２３、３３    外部マイク接続シュー
４、２４、３４    切り替えスイッチ
５、２５、３５    Ａ／Ｄコンバータ
６、２６、３６    ＤＳＰ
７、２７、３７    記録装置
８、２８、３８    制御装置
９、２９、３９    撮影装置
【図１】
2006229329.tif 000003
【図２】
2006229329.tif 000004
【図３】
2006229329.tif 000005
【図４】
2006229329.tif 000006